(57)【要約】  基地局は、第一のセルに設定される第一の参照信号の第一のリソース位置と、前記第一のセルの第一のリソース配置と、第二のセルに設定される第二の参照信号の第二のリソース位置と、前記第二のセルの第二のリソース配置とに基づいて、前記第一のセルで無線信号を無送信にする第一の特定のリソース位置を決定する決定部と、前記第一のセルに設定される前記第一の参照信号の前記第一のリソース位置の第一のリソースに前記第一の参照信号をマッピングすると共に、前記第一のセルで前記無線信号を無送信にする前記第一の特定のリソース位置の特定のリソースを無送信にして、前記第一のセルで前記無線信号を送信する送信部と、を有する。
2018030098.tif 000002
【特許請求の範囲】
【請求項１】
複数のセルを有する無線通信システムにおける基地局であって、
第一のセルに設定される第一の参照信号の第一のリソース位置と、前記第一のセルの第一のリソース配置と、第二のセルに設定される第二の参照信号の第二のリソース位置と、前記第二のセルの第二のリソース配置とに基づいて、前記第一のセルで無線信号を無送信にする第一の特定のリソース位置を決定する決定部と、
前記第一のセルに設定される前記第一の参照信号の前記第一のリソース位置の第一のリソースに前記第一の参照信号をマッピングすると共に、前記第一のセルで前記無線信号を無送信にする前記第一の特定のリソース位置の特定のリソースを無送信にして、前記第一のセルで前記無線信号を送信する送信部と、
を有する基地局。
【請求項２】
前記決定部は、
前記第一のセルの所定のリソース単位に複数の参照信号が設定される場合、該複数の参照信号のリソース位置のうち、一部の参照信号のリソース位置を、前記第一のセルで無線信号を無送信にする前記第一の特定のリソース位置として決定し、
前記複数の参照信号のうち前記一部の参照信号以外の参照信号を送信するリソース位置を、前記第二のセルで無線信号を無送信にする第二の特定のリソース位置として決定する、
請求項１に記載の基地局。
【請求項３】
前記決定部は、
前記第一のセルに設定される前記第一のリソース配置を示す情報と前記第二のセルに設定される前記第二のリソース配置とを比較することで、前記第一のセルの所定のリソース単位のうち、前記第二のセルに参照信号が設定されるリソース位置を含むリソースを特定し、特定されたリソースを、前記第一のセルで前記無線信号を無送信にする前記第一の特定のリソース位置として決定し、
前記第一のセルの前記所定のリソース単位に複数の参照信号が設定される場合、該複数の参照信号のうち一部の参照信号を送信するリソース位置を、前記第二のセルで前記無線信号を無送信にする第二の特定のリソース位置として決定する、
請求項１に記載の基地局。
【請求項４】
前記送信部は、前記第一のセルの前記所定のリソース単位において、前記決定部で決定された前記第一のセルで無線信号を無送信にする前記第一の特定のリソース位置と、前記第一のセルの前記所定のリソース単位において参照信号が設定されるリソース位置とが重複していない場合で、かつ、前記第一のセルの前記所定のリソース単位に複数の参照信号が設定される場合、該複数の参照信号のうち一部の参照信号に代えてデータチャネルの信号を送信する、
請求項３に記載の基地局。
【請求項５】
前記送信部は、前記第一のセルで無線信号を無送信にする前記第一の特定のリソース位置のうち、一部のリソース位置においてデータチャネルの信号を送信する、
請求項３又は４に記載の基地局。
【請求項６】
複数のセルを有する無線通信システムにおける基地局が実行する信号送信方法であって、
第一のセルに設定される第一の参照信号の第一のリソース位置と、前記第一のセルの第一のリソース配置と、第二のセルに設定される第二の参照信号の第二のリソース位置と、前記第二のセルの第二のリソース配置とに基づいて、前記第一のセルで無線信号を無送信にする第一の特定のリソース位置を決定するステップ、
前記第一のセルに設定される前記第一の参照信号の前記第一のリソース位置の第一のリソースに前記第一の参照信号をマッピングすると共に、前記第一のセルで前記無線信号を無送信にする前記第一の特定のリソース位置の特定のリソースを無送信にして、前記第一のセルで前記無線信号を送信するステップと、
を有する信号送信方法。
【発明の詳細な説明】
【技術分野】
【０００１】
本発明は、基地局及び信号送信方法に関する。
【背景技術】
【０００２】
Long Term Evolution（ＬＴＥ）では、システム容量の更なる大容量化、データ伝送速度の更なる高速化、無線区間における更なる低遅延化などを実現するために、５Ｇと呼ばれる無線通信方式の検討が進んでいる。５Ｇでは、１０Ｇｂｐｓ以上のスループットを実現しつつ無線区間の遅延を１ｍｓ以下にするという要求条件を満たすために、様々な無線技術の検討が行われている。５ＧではＬＴＥと異なる無線技術が採用される可能性が高いことから、３ＧＰＰでは、５Ｇをサポートする無線ネットワークを新たな無線ネットワーク（ＮｅｗＲＡＴ：New Radio Access Network）と呼ぶことで、ＬＴＥをサポートする無線ネットワークと区別している。【０００３】
５Ｇでは、超高速、大容量化、及び超低遅延を実現するために、既存の低周波数帯に加えて、広帯域を確保しやすい高周波数帯の利用が検討されている。高周波数帯では位相雑音の影響が大きくなるため、高周波数帯を利用するキャリア（セル）では、サブキャリア間隔をＬＴＥよりも拡大することが検討されている。
【先行技術文献】
【非特許文献】
【０００４】
【非特許文献１】株式会社ＮＴＴドコモ、"ドコモ５Ｇホワイトペーパー"、２０１４年９月
【非特許文献２】株式会社ＮＴＴドコモ、ＮＴＴ  ＤＯＣＯＭＯテクニカルジャーナル"５Ｇ無線アクセス技術"、２０１６年１月
【発明の概要】
【発明が解決しようとする課題】
【０００５】
上述のように、５Ｇでは幅広い周波数帯に対応するため、各セルに適用されるNumerology（図１）が異なる可能性がある。また、これに伴い、チャネル推定及び品質の測定等に用いられる参照信号(ＲＳ：Reference Signal)構成も、各セルに適用されるNumerologyに基づいて設定されることが想定される。なお、Numerologyとはサブキャリア間隔、シンボル長及びCyclic Prefix（ＣＰ）長を意味している。各セルに適用されるNumerologyが異なるとは、各セルのサブキャリア間隔、シンボル長及びＣＰ長がそれぞれ異なることを意図している。【０００６】
ここで、ＬＴＥでは、セルの一部のリソースを無送信（Muting）にすることで、ユーザ装置が在圏セルの受信品質及び隣接セルからの干渉信号を適切に測定可能にする仕組みが規定されている。例えば、図２に示すように、セル＃１で参照信号が送信されているリソースをセル＃２では無送信に設定する場合、ユーザ装置は、無送信のリソースを測定することで隣接セルからの干渉信号を測定でき、更に、在圏セルで参照信号を測定する際に、隣接セルからの干渉信号の影響を受けずに参照信号を測定することができる。【０００７】
ＬＴＥの場合、基本的に各セルでサブキャリア間隔を１５ｋＨｚとするNumerologyが適用されるため、リソースエレメントのサイズもセル間で同一である。しかしながら、５Ｇにおいて、各セルで異なるNumerologyが適用される場合、リソースエレメントのサイズ（図１に示す格子のサイズ）がセル間で異なることになる。このため、無送信にすべきリソースの位置を適切に設定しなければ、ユーザ装置が参照信号および干渉信号を適切に測定することができなくなる可能性がある。【０００８】
各セルに適用されるNumerologyに応じて、ユーザ装置が参照信号および干渉信号を適切に測定することを可能にする技術が必要とされている。
【課題を解決するための手段】
【０００９】
開示の技術の基地局は、複数のセルを有する無線通信システムにおける基地局であって、第一のセルに設定される第一の参照信号の第一のリソース位置と、前記第一のセルの第一のリソース配置と、第二のセルに設定される第二の参照信号の第二のリソース位置と、前記第二のセルの第二のリソース配置とに基づいて、前記第一のセルで無線信号を無送信にする第一の特定のリソース位置を決定する決定部と、前記第一のセルに設定される前記第一の参照信号の前記第一のリソース位置の第一のリソースに参照信号をマッピングすると共に、前記第一のセルで前記無線信号を無送信にする前記第一の特定のリソース位置の特定のリソースを無送信にして、前記第一のセルで前記無線信号を送信する送信部と、を有する。
【発明の効果】
【００１０】
開示の技術によれば、各セルに適用されるNumerologyに応じて、ユーザ装置が参照信号および干渉信号を適切に測定することを可能にする技術が提供される。
【図面の簡単な説明】
【００１１】
【図１】各セルに適用されるNumerologyの一例を示す図である。
【図２】ＬＴＥにおいて一部のリソースを無送信にする場合の例を示す図である。
【図３】実施の形態に係る無線通信システムの構成の一例を示す図である。
【図４】実施の形態に係る無線通信システムが行う処理手順の一例を示すシーケンス図である。
【図５】具体例その１を説明するための図である。
【図６】具体例その２を説明するための図である。
【図７】具体例その３を説明するための図である。
【図８】具体例その４を説明するための図である。
【図９】具体例その５を説明するための図である。
【図１０】具体例その５（変形例）を説明するための図である。
【図１１】具体例その６を説明するための図である。
【図１２】具体例その７を説明するための図である。
【図１３】具体例その７（変形例）を説明するための図である。
【図１４】具体例その８を説明するための図である。
【図１５】インデックス番号ごとのリソース位置を示すテーブルの一例を示す。
【図１６】実施の形態に係る基地局の機能構成の一例を示す図である。
【図１７】実施の形態に係るユーザ装置の機能構成の一例を示す図である。
【図１８】実施の形態に係る基地局及びユーザ装置のハードウェア構成の一例を示す図である。
【発明を実施するための形態】
【００１２】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態に係る無線通信システムはＬＴＥ及び５Ｇに準拠した方式のシステムを想定しているが、本発明はＬＴＥ及び５Ｇに限定されるわけではなく、他の方式にも適用可能である。なお、本明細書及び特許請求の範囲において、「ＬＴＥ」は、３ＧＰＰのリリース８、又は９に対応する通信方式のみならず、３ＧＰＰのリリース１０、１１、１２、１３、又はリリース１４以降に対応する第５世代の通信方式も含む広い意味で使用する。以下の説明において「リソース」とは、無線リソースを示す意味で使用する。
【００１３】
＜システム構成＞
図３は、実施の形態に係る無線通信システムの構成の一例を示す図である。図３に示すように、実施の形態に係る無線通信システムは、セル＃１を形成する基地局１０１とセル＃２を形成する基地局１０２とユーザ装置ＵＥとを有する。以下の説明において、基地局１０１と基地局１０２とを区別しない場合は「基地局１０」と記載する。なお、基地局１０の数は２に制限されず、３以上の構成としてもよい。
【００１４】
ユーザ装置ＵＥは、基地局１０と通信する機能を有しており、基地局１０から送信される参照信号を用いてセルの受信品質及び／又は隣接セルからの干渉量を測定し、基地局１０に報告する機能を有する。
【００１５】
基地局１０１及び基地局１０２は、各セルに同一又は異なるNumerologyを適用することが可能である。本実施の形態で各セルに設定されるNumerologyはどのようなサブキャリア間隔、シンボル長及びＣＰ長であってもよい。
【００１６】
基地局１０１及び基地局１０２は基地局間インターフェースを用いて相互に通信することが可能である。基地局１０１及び基地局１０２は、お互いに、参照信号が設定されるリソース位置とNumerologyに基づくリソース配置に関する情報とを通知することで、自身の無線リソースのうち、他方の基地局１０から参照信号が送信されるリソース位置を把握することができる。
【００１７】
図３の例では、基地局１０１及び基地局１０２は２つの基地局として図示されているが、１つの基地局１０として構成することも可能である。この場合、１つの基地局１０がセル＃１及びセル＃２を形成することになる。セル＃１及びセル＃２のキャリア周波数及び帯域幅は任意であるが、本実施の形態では、セル＃１の帯域及びセル＃２の帯域の全部又は一部は重複しており、ユーザ装置ＵＥは、セル端等の各セルのエリアが重複するエリアにおいて他方のセルからの干渉を受ける可能性があることを想定している。
【００１８】
さらに、基地局１０１及び基地局１０２の上位に集約基地局を構成することも可能である。この場合、エリアは基地局１０１及び基地局１０２が形成することになるが、リソース割り当て等の制御に関わる部分は集約基地局が行うことになる。
【００１９】
＜処理手順＞
（参照信号について）
基地局１０が送信する参照信号は、どのような参照信号であってもよい。例えば、セル固有の参照信号であってもよいし、Channel State Information（ＣＳＩ）測定用参照信号であってもよいし、復調用の参照信号であってもよい。また、ＬＴＥと同様に、Cell Specific-RS（ＣＲＳ）と呼ばれてもよいし、ＣＳＩ−ＲＳと呼ばれてもよいし、Demodulation RS（ＤＭ−ＲＳ）と呼ばれてもよい。
【００２０】
なお、本実施の形態では、基地局１０は、自身が形成するセルに設定される参照信号のリソース位置（参照信号構成と称してもよい）を、Ｏ＆Ｍ（Operation & Maintenance）装置等を介して予めメモリ等に格納していることを前提とする。
【００２１】
（処理シーケンスについて）
続いて、実施の形態に係る無線通信システムが行う処理手順について具体的に説明する。図４は、実施の形態に係る無線通信システムが行う処理手順の一例を示すシーケンス図である。なお、図４において、ユーザ装置ＵＥは、セル＃１に在圏しており、セル＃２はセル＃１の隣接セルであることを前提とする。
【００２２】
ステップＳ１１で、基地局１０１及び基地局１０２は、基地局間インターフェースを介して、お互いに、自身のセルに参照信号が設定されるリソース位置と、自身のセルのリソース配置に関する情報とを通知する。リソース配置に関する情報とは、Numerologyに関する情報（例えば、サブキャリア間隔、シンボル長及びＣＰ長）、キャリア周波数、帯域幅、時間方向のオフセット（例えば所定の基準時刻と無線フレームの開始タイミングとのオフセット等）に関する情報等である。
【００２３】
基地局１０１及び基地局１０２は、他方の基地局１０から参照信号が設定されるリソース位置とリソース配置に関する情報とを取得することで、基地局１０自身のリソース（リソースグリッド）と他方の基地局１０のリソース（リソースグリッド）とが、どのように重なり合っているのかを把握することができる。なお、ステップＳ１１の処理手順は、基地局１０間で直接リソース配置に関する情報を交換することに代えて、Ｏ＆Ｍ装置等を用いて他の基地局１０のリソース配置に関する情報を各基地局１０に通知することで行われてもよい。
【００２４】
ステップＳ１２で、基地局１０１は、セル＃１に設定される第一の参照信号のリソース位置と、セル＃１に設定される第一のリソース配置と、セル＃２に設定される第二の参照信号の第二のリソース位置と、セル＃２に設定される第二のリソース配置とに基づいて、セル＃１で無線信号を無送信にする第一の特定のリソース位置を決定する。
【００２５】
基地局１０２も、基地局１０１と同様、セル＃２で無線信号を無送信にする第二の特定のリソース位置を決定する。なお、セル＃２で無線信号を無送信にする第二の特定のリソース位置は、必ずしも基地局１０２が自ら決定する必要は無く、基地局１０１が決定するようにしてもよい。なお、基地局１０１及び基地局１０２が１つの基地局１０である場合、ステップＳ１１及びステップＳ１２の処理手順は基地局１０の内部処理として実行される。
【００２６】
ステップＳ１３で、基地局１０１は、セル＃１で第一の参照信号を送信する第一のリソース位置と、セル＃１で無線信号を無送信にする第一の特定のリソース位置とを含む情報（以下、「リソース情報」と呼ぶ）をユーザ装置ＵＥに通知（設定）する。リソース情報は、報知情報（ブロードキャスト情報）でユーザ装置ＵＥに通知されてもよいし、個別のＲＲＣ（Radio Resource Control）シグナリングを用いて通知されてもよい。なお、基地局１０２も同様に、セル＃２に在圏しているユーザ装置ＵＥ向けに、セル＃２で第二の参照信号を送信する第二のリソース位置と、セル＃２で無線信号を無送信にする第二の特定のリソース位置とを含む情報（リソース情報）をセル＃２に在圏しているユーザ装置ＵＥに通知（設定）するようにしてもよい。
【００２７】
ステップＳ１４で、基地局１０１は、セル＃１に設定される第一の参照信号の第一のリソース位置の第一のリソースに第一の参照信号をマッピングし、更に、ステップＳ１２で決定された第一の特定のリソース位置の第一の特定のリソースを無送信にして、セル＃１の無線信号を送信する。
【００２８】
ステップＳ１５で、基地局１０２は、セル＃２に設定される第二の参照信号の第二のリソース位置の第二のリソースに第二の参照信号をマッピングし、更に、ステップＳ１２で決定された第二の特定のリソース位置の第二の特定のリソースを無送信にして、セル＃２の無線信号を送信する。
【００２９】
ステップＳ１６で、ユーザ装置ＵＥは、ステップＳ１３で通知されたリソース情報に基づき、在圏セル（セル＃１）の第一の参照信号の品質測定を行うと共に、無送信のリソースを測定することで、隣接セル（セル＃２）からの干渉量を測定する。
【００３０】
ステップＳ１７で、ユーザ装置ＵＥは、ステップＳ１６で測定した測定結果を基地局１０１に報告する。
【００３１】
（無送信リソース位置の決定方法について）
続いて、図４のステップＳ１２の処理手順で基地局１０が行う、無線信号を無送信にするリソース位置を決定する方法について説明する。基地局１０は、以下のいずれかの方法でリソース位置を決定する。
【００３２】
以下のリソース位置決定方法において、「参照信号」とは、各々が異なるアンテナポートに対応づけられる複数の参照信号から構成される"一群の参照信号"を意味する。つまり、「１つの参照信号」とは、"一群の参照信号"が１つであることを意味し、「複数の参照信号」とは、"一群の参照信号"が複数であることを意味する。しかしながら、本実施の形態において、「参照信号」は、必ずしもこのような一群の参照信号に限定せずに適用することも可能である。
【００３３】
［無送信リソース位置決定方法（その１）］
ＳＴＥＰ１：  セル＃１の所定のリソース単位に複数の参照信号が設定される場合、当該複数の参照信号のリソース位置のうち、一部の参照信号のリソース位置を、セル＃１で無線信号を無送信にする第一の特定のリソース位置として決定する。もし、セル＃１の所定のリソース単位に１つの参照信号のみが設定される場合、セル＃１では無線信号を無送信にしないと決定する。
【００３４】
ＳＴＥＰ２：  セル＃１の所定のリソース単位に設定される複数の参照信号のリソース位置のうち、上記一部の参照信号以外の参照信号を送信するリソース位置（つまり、セル＃１の所定のリソース単位に設定される複数の参照信号のリソース位置のうち無送信にしなかったリソース位置）を、セル＃２で無線信号を無送信にする第二の特定のリソース位置として決定する。
【００３５】
［無送信リソース位置決定方法（その２）］
ＳＴＥＰ１：  セル＃１のリソース配置と、セル＃２のリソース配置とを比較することで、セル＃１の所定のリソース単位のうち、セル＃２に参照信号が設定されるリソース位置を含むリソースを特定し、特定されたリソースを、セル＃１で無線信号を無送信にする第一の特定のリソース位置として決定する。
【００３６】
ＳＴＥＰ２：  ＳＴＥＰ１におけるセル＃１の所定のリソース単位においてセル＃１の複数の参照信号が設定される場合、当該セル＃１の複数の参照信号のリソース位置のうち一部のリソース位置を、セル＃２で無線信号を無送信にする第二の特定のリソース位置として決定する。
【００３７】
なお、以上説明した無送信リソース位置決定方法（その１）及び（その２）において、基地局１０は、「無送信リソース位置決定方法（その１）」又は「無送信リソース位置決定方法（その２）」に従って無送信にするリソース位置を決定した後、更に、"セル＃１"と"セル＃２"を逆にして、同様の決定方法を繰り返し行うようにしてもよい。また、セル＃１を基地局１０１が形成しセル＃２を基地局１０２が形成する場合、ＳＴＥＰ１を基地局１０１が行いＳＴＥＰ２を基地局１０２が行うようにしてもよい。また、ＳＴＥＰ１及び２の両方を基地局１０１が行うようにして、決定されたセル＃２で無線信号を無送信にする第二の特定のリソース位置を、基地局間インターフェースを介して基地局１０１から基地局１０２に通知（指示）してもよい。さらには、ＳＴＥＰ１とＳＴＥＰ２を行う順番は逆（ＳＴＥＰ２、ＳＴＥＰ１の順）になってもよい。さらには、ＳＴＥＰ１とＳＴＥＰ２は個別に行われてもよい。つまり、ＳＴＥＰ１のみを行う場合、ＳＴＥＰ２のみを行う場合、両者を行う場合の３種類の制御を独立に行ってもよい。さらには、ＳＴＥＰ１とＳＴＥＰ２が行われるリソースは時間／周波数領域において連続した区間である必要はない。
【００３８】
＜具体例＞
続いて、以上説明した処理手順を用いて、無線信号を無送信にするリソース位置を基地局１０が決定する際の具体例を、図５〜図１４を用いて説明する。
【００３９】
ここで、図５〜図１４に図示される１つの格子は、リソースの最小単位であるリソースエレメントに該当する。１リソースエレメントは、周波数方向に１サブキャリア、及び時間方向に１シンボルで囲まれたリソースとも表現することができる。また、図５〜図１４の例では、周波数方向に１２リソースエレメント、及び時間方向に１４リソースエレメントで囲まれた範囲を、ＲＵ（リソースユニット：Resource Unit）と定義する。１つのＲＵは、リソースの最小割当て単位を意図しておりＬＴＥにおけるＲＢ（リソースブロック：Resource Block）に相当する単位である。上述の無送信リソース位置決定方法（その１）及び（その２）における「所定のリソース単位」は、以下の具体例ではＲＵペア（連続する２つのＲＵ）であると仮定する。
【００４０】
また、図５〜図１４の例では、ＲＵごとに、ＲＵ内のいずれかのシンボルにおける周波数方向の１２個のリソースエレメントのうち、中心の８個のリソースエレメントに参照信号が設定される前提とする。また、８個のリソースエレメントを用いて設定される参照信号は、リソースエレメントごとに異なるレイヤ（アンテナポート）に対応づけられていることを前提とする。なお、図５〜図１４に示す参照信号のリソース位置は、具体例を説明するために便宜上設定したものであり、これに限定されるものではない。本実施の形態は、どのようなリソース位置に参照信号が設定される場合にも適用することができる。
【００４１】
（具体例その１）
具体例その１は、「無送信リソース位置決定方法（その１）」を用いて無線信号を無送信にするリソース位置を決定する場合の具体例である。具体例その１では、セル＃１及びセル＃２のNumerology及び参照信号のリソース位置が同一であることを前提とする。
【００４２】
図５は、具体例その１を説明するための図である。まず、基地局１０は、セル＃１の所定のリソース単位（ＲＵペア）に設定される複数の参照信号（左側のＲＵに設定される参照信号と、右側のＲＵに設定される参照信号）のうち、右側のＲＵに設定される参照信号を、セル＃１で無線信号を無送信（Muting）する第一の特定のリソース位置として決定する（ＳＴＥＰ１）。続いて、基地局１０は、セル＃１において、複数の参照信号のリソース位置のうち無送信にしなかったリソース位置（つまり、左側のＲＵに設定される参照信号のリソース位置）を、セル＃２で無線信号を無送信にする第二の特定のリソース位置として決定する（ＳＴＥＰ２）。なお、具体例その１は、「無送信リソース位置決定方法（その２）」を適用しても同様のリソース位置が無送信に決定される。
【００４３】
（具体例その２）
具体例その２は、「リソース位置決定方法（その１）」を用いて無線信号を無送信にするリソース位置を決定する場合の具体例である。具体例その２では、セル＃１及びセル＃２のNumerologyは同一であるが、参照信号のリソース位置が異なることを前提とする。
【００４４】
図６は、具体例その２を説明するための図である。まず、基地局１０１は、セル＃１の所定のリソース単位（ＲＵペア）に設定される複数の参照信号（左側のＲＵに設定される参照信号と、右側のＲＵに設定される参照信号）のうち、右側のＲＵに設定される参照信号を、セル＃１で無線信号を無送信（Muting）にする第一の特定のリソース位置として決定する（ＳＴＥＰ１）。続いて、基地局１０は、セル＃１において、複数の参照信号のリソース位置のうち無送信にしなかったリソース位置（つまり、左側のＲＵに設定される参照信号のリソース位置）を、セル＃２で無線信号を無送信にする第二の特定のリソース位置として決定する（ＳＴＥＰ２）。具体例その２では、セル＃１で干渉量を測定するユーザ装置ＵＥは、セル＃２のデータチャネルで送信される信号及び雑音等の干渉量を測定することになる。
【００４５】
（具体例その３）
具体例その３は、「リソース位置決定方法（その２）」を用いて無線信号を無送信にするリソース位置を決定する場合の具体例である。具体例その３では、具体例その２と同様、セル＃１及びセル＃２のNumerologyは同一であるが、参照信号のリソース位置が異なることを前提とする。
【００４６】
図７は、具体例その３を説明するための図である。まず、基地局１０は、セル＃１のリソース配置と、セル＃２のリソース配置とを比較することで、セル＃１の所定のリソース単位（ＲＵペア）のうち、セル＃２に参照信号が設定されるリソース位置を含むリソースを特定し、特定されたリソース（図７の例ではセル＃１の右側のＲＵのうち最後から２番目のシンボルのリソース）を、セル＃１で無線信号を無送信にする第一の特定のリソース位置として決定する（ＳＴＥＰ１）。続いて、基地局１０は、セル＃１の所定のリソース単位（ＲＵペア）に設定される複数の参照信号（左側のＲＵに設定される参照信号と、右側のＲＵに設定される参照信号）のうち一部のリソース位置（図７の例では左側のＲＵに設定される参照信号のリソース位置）を、セル＃２で無線信号を無送信にする第二の特定のリソース位置として決定する（ＳＴＥＰ２）。
【００４７】
なお、具体例その３の場合、セル＃１において無線信号を無送信にすると決定されたリソース位置と、セル＃１の所定のリソース単位（左側のＲＵと右側のＲＵ）において参照信号が設定されるリソース位置とが重複していないため、セル＃１ではＲＵペア内において複数の参照信号が送信されることになる。この場合、基地局１０は、セル＃１において、複数の参照信号のうち一部の参照信号（図７の「Ａ」）に代えて、データチャネルの信号を送信するようにしてもよい。これにより、参照信号を用いた品質測定精度をある程度保ちつつ、下りリンクで送信可能なデータ量を増加させることができる。
【００４８】
（具体例その４）
具体例その４は、「リソース位置決定方法（その１）」を用いて無線信号を無送信にするリソース位置を決定する場合の具体例である。具体例その４では、セル＃１及びセル＃２の参照信号のリソース位置は同一であるが、Numerologyが異なることを前提とする。なお、セル＃２のサブキャリア間隔はセル＃１の半分であるとし、セル＃２のシンボル間隔はセル＃１の２倍であるとする（以下の具体例その５、その６、その７、その８も同様）。
【００４９】
図８は、具体例その４を説明するための図である。まず、基地局１０は、セル＃１の所定のリソース単位（ＲＵペア）に設定される複数の参照信号（左側のＲＵに設定される参照信号と、右側のＲＵに設定される参照信号）のうち、右側のＲＵに設定される参照信号を、セル＃１で無線信号を無送信（Muting）する第一の特定のリソース位置として決定する（ＳＴＥＰ１）。続いて、基地局１０は、セル＃１において、複数の参照信号のリソース位置のうち無送信にしなかったリソース位置（つまり、左側のＲＵに設定される参照信号のリソース位置）を、セル＃２で無線信号を無送信にする第二の特定のリソース位置として決定する（ＳＴＥＰ２）。なお、図８の例ではセル＃１及びセル＃２のNumerologyが異なるため、リソースエレメントの位置がセル＃１とセル＃２とで一致しない。従って、基地局１０は、セル＃２で無線信号を無送信にする第二の特定のリソース位置を、少なくともセル＃１において無送信にしなかったリソース位置が全て含まれる範囲に決定する（以下の具体例その５、その６、その７も同様）。
【００５０】
（具体例その５）
具体例その５は、「リソース位置決定方法（その２）」を用いて無線信号を無送信にするリソース位置を決定する場合の具体例である。具体例その５では、具体例その４と同様、セル＃１及びセル＃２の参照信号のリソース位置は同一であるが、Numerologyが異なる前提とする。
【００５１】
図９は、具体例その５を説明するための図である。まず、基地局１０は、セル＃１のリソース配置と、セル＃２のリソース配置とを比較することで、セル＃１の所定のリソース単位（ＲＵペア）のうち、セル＃２に参照信号が設定されるリソース位置を含むリソースを特定し、特定されたリソース（図９の例ではセル＃１の右側のＲＵのうち最後及び最後から２番目のシンボルのリソース）を、セル＃１で無線信号を無送信にする第一の特定のリソース位置として決定する（ＳＴＥＰ１）。続いて、基地局１０は、セル＃１の所定のリソース単位（ＲＵペア）に設定される複数の参照信号（左側のＲＵに設定される参照信号と、右側のＲＵに設定される参照信号）のうち一部のリソース位置（図９の例では左側のＲＵに設定される参照信号のリソース位置）を、セル＃２で無線信号を無送信にする第二の特定のリソース位置として決定する（ＳＴＥＰ２）。
【００５２】
具体例その５の場合、図１０に示すように、セル＃１において無線信号を無送信にすると決定された第一の特定のリソース位置の一部のリソース位置（例えば図１０の「Ａ」）においてデータチャネルの信号を送信するようにしてもよいし、無送信となった参照信号をＡにおいて送信するようにしてもよい。また、基地局１０は、セル＃１において一部が無送信に設定された参照信号のリソースエレメント（図１０の「Ｂ」）についても、データチャネルの送信に用いるようにしてもよい。これにより、下りリンクで送信可能なデータ量を増加させることができる。なお、基地局１０は、図１０の「Ｂ」のリソースエレメントを無送信とするようにしてもよい。
【００５３】
（具体例その６）
具体例その６は、「リソース位置決定方法（その１）」を用いて無線信号を無送信にするリソース位置を決定する場合の具体例である。具体例その６では、セル＃１及びセル＃２の参照信号のリソース位置及びNumerologyが異なることを前提とする。
【００５４】
図１１は、具体例その６を説明するための図である。まず、基地局１０は、セル＃１の所定のリソース単位（ＲＵペア）に設定される複数の参照信号（左側のＲＵに設定される参照信号と、右側のＲＵに設定される参照信号）のうち、右側のＲＵに設定される参照信号を、セル＃１で無線信号を無送信（Muting）する第一の特定のリソース位置として決定する（ＳＴＥＰ１）。続いて、基地局１０は、セル＃１において、複数の参照信号のリソース位置のうち無送信にしなかったリソース位置（つまり、左側のＲＵに設定される参照信号のリソース位置）を、セル＃２で無線信号を無送信にする第二の特定のリソース位置として決定する（ＳＴＥＰ２）。具体例その６では、セル＃１で干渉量を測定するユーザ装置ＵＥは、セル＃２のデータチャネルで送信される信号及び雑音等の干渉量を測定することになる。
【００５５】
（具体例その７）
具体例その７は、「リソース位置決定方法（その２）」を用いて無線信号を無送信にするリソース位置を決定する場合の具体例である。具体例その７では、セル＃１及びセル＃２の参照信号のリソース位置及びNumerologyが異なることを前提とする。
【００５６】
図１２は、具体例その７を説明するための図である。まず、基地局１０は、セル＃１のリソース配置と、セル＃２のリソース配置とを比較することで、セル＃１の所定のリソース単位（ＲＵペア）のうち、セル＃２に参照信号が設定されるリソース位置を含むリソースを特定し、特定されたリソース（図１２の例ではセル＃１の右側のＲＵのうち最後及び最後から３番目及び４番目のシンボルのリソース）を、セル＃１で無線信号を無送信にする第一の特定のリソース位置として決定する（ＳＴＥＰ１）。続いて、基地局１０は、セル＃１の所定のリソース単位（ＲＵペア）に設定される複数の参照信号（左側のＲＵに設定される参照信号と、右側のＲＵに設定される参照信号）のうち一部のリソース位置（図１２の例では左側のＲＵに設定される参照信号のリソース位置）を、セル＃２で無線信号を無送信にする第二の特定のリソース位置として決定する（ＳＴＥＰ２）。
【００５７】
なお、具体例その７の場合、図１３に示すように、セル＃１において無線信号を無送信にすると決定された第一の特定のリソース位置の一部のリソース位置（例えば図１３の「Ａ」）においてデータチャネルの信号を送信するようにしてもよい。また、具体例その７の場合、前述の具体例その３と同様に、セル＃１では複数の参照信号が送信されることになる。この場合、基地局１０は、セル＃１において、複数の参照信号のうち一部の参照信号（図１３の「Ｂ」）に代えて、データチャネルの信号を送信するようにしてもよい。これにより、参照信号を用いた品質測定精度をある程度保ちつつ、下りリンクで送信可能なデータ量を増加させることができる。
【００５８】
（具体例その８）
これまで説明した具体例その４〜７では、基地局１０はセル＃１を起点として無線信号を無送信にするリソース位置を決定していたが、セル＃２を起点として無線信号を無送信にするリソース位置を決定することも可能である。
【００５９】
具体例その８は、「リソース位置決定方法（その１）」を用いて無線信号を無送信にするリソース位置を決定する場合の具体例である。具体例その８では、セル＃１及びセル＃２の参照信号のリソース位置及びNumerologyが異なる前提とする。
【００６０】
図１４は、具体例その８を説明するための図である。まず、基地局１０は、セル＃２の所定のリソース単位（周波数方向のＲＵペア）に設定される複数の参照信号（上側のＲＵに設定される参照信号と、下側のＲＵに設定される参照信号）のうち、上側のＲＵに設定される参照信号を、セル＃２で無線信号を無送信（Muting）する第二の特定のリソース位置として決定する（ＳＴＥＰ１）。続いて、基地局１０は、セル＃２において、複数の参照信号のリソース位置のうち無送信にしなかったリソース位置（つまり、下側のＲＵに設定される参照信号のリソース位置）を、セル＃１で無線信号を無送信にする第一の特定のリソース位置として決定する（ＳＴＥＰ２）。なお、図１４の例ではセル＃１及びセル＃２のNumerologyが異なるため、リソースエレメントの位置がセル＃１とセル＃２とで一致しない。従って、基地局１０は、セル＃１で無線信号を無送信にする第一の特定のリソース位置を、少なくともセル＃２において無送信にしなかったリソース位置が全て含まれる範囲に決定する。
【００６１】
（リソース情報の例について）
図４のステップＳ１３で送信されるリソース情報には、基地局１０が参照信号を送信するリソース位置と無線信号を無送信にする第一の特定のリソース位置とが具体的に示されていてもよいし、インデックス番号を用いて示されてもよい。図１５に、インデックス番号ごとのリソース位置を示すテーブルの一例を示す。
【００６２】
図１５の「設定されるＲＳ数」は、所定のリソース単位ごとに設定される参照信号の数である。「リソース位置」は、所定のリソース単位において参照信号が設定されるリソースエレメントの位置を示す。なお、図１５の例では、参照信号（一群の参照信号）のうち起点となるリソースエレメント（例えば、図５〜図１４のＬａｙｅｒ＃１のみ）のみが設定される場合を示している。なお、これに限られず、複数のリソースエレメント全て（例えば、図５〜図１４のＬａｙｅｒ＃１〜＃８の全て）のリソースエレメントの位置が設定されていてもよい。
【００６３】
「ＲＵペア番号」は、所定のリソース単位がＲＵペアに相当する場合に、「リソース位置」がどのＲＵのリソースエレメントの位置を示すのかを識別可能にするために設定される。ＬＴＥの場合、「ＲＵペア番号」は、奇数番目のスロット番号又は偶数番目のスロット番号に相当する。なお「ＲＵペア番号」は省略されてもよい。
【００６４】
「無送信フラグ」は、「リソース位置」で示されるリソースエレメントで参照信号が送信されるのか、又は、「リソース位置」で示されるリソースエレメントが無送信に設定されるのかを示す。例えば、「０」は参照信号が送信されることを示し、「１」は無送信に設定されることを示す。
【００６５】
（処理手順に関する補足事項）
リソース情報のうち、基地局１０が参照信号を送信するリソース位置と無線信号を無送信にするリソース位置とは、明確に区別されなくてもよい。例えば図１５において、「無送信フラグ」は省略されてもよい。この場合、ユーザ装置ＵＥは、リソース情報で指定されたリソース位置で参照信号を受信して測定しているのか、隣接セルからの干渉波を測定しているのかを意識せずに、単純に指定されたリソースの受信品質（例えば受信電力など）を測定して基地局１０に報告する。これにより、ユーザ装置ＵＥが行う測定処理を簡略化することができる。一方、基地局１０側は、各リソース位置で参照信号を送信しているのか無送信としているのかを認識しているため、報告された受信品質が、参照信号に関する受信品質であるのか、隣接セルの干渉波に関する受信品質であるのかを把握可能である。
【００６６】
以上、実施の形態係る無線通信システムが行う処理手順について説明した。以上説明した処理手順によれば、隣接セルにおいて参照信号が送信されるリソース位置では無線信号が送信されないようにすることができ、ユーザ装置ＵＥは、干渉量を適切に測定して基地局１０に報告することが可能になる。また、以上説明した処理手順によれば、自セルにおいて参照信号が送信されるリソース位置では隣接セルでは無線信号が送信されないようにすることができ、ユーザ装置ＵＥは、在圏セルの受信品質を適切に測定して基地局１０に報告することが可能になる。
【００６７】
＜機能構成＞
（基地局）
図１６は、実施の形態に係る基地局の機能構成の一例を示す図である。図１６に示すように、基地局１０は、信号送信部１０１と、信号受信部１０２と、決定部１０３と、通知部１０４とを有する。なお、図１６は、基地局１０において本発明の実施の形態に特に関連する機能部のみを示すものであり、少なくとも５Ｇ（ＬＴＥを含む）に準拠した動作を行うための図示しない機能も有するものである。また、図１６に示す機能構成は一例に過ぎない。本実施の形態に係る動作を実行できるのであれば、機能区分及び機能部の名称はどのようなものでもよい。
【００６８】
信号送信部１０１は、基地局１０から送信されるべき上位のレイヤの信号から、物理レイヤの各種信号を生成し、無線送信する機能を含む。信号受信部１０２は、ユーザ装置ＵＥから各種の無線信号を受信し、受信した物理レイヤの信号からより上位のレイヤの信号を取得する機能を含む。
【００６９】
また、信号送信部１０１は、第一のセルに設定される第一の参照信号の第一のリソース位置のリソースに前記第一の参照信号をマッピングすると共に、前記第一のセルで無線信号を無送信にする第一の特定のリソース位置の特定のリソースを無送信にして、前記第一のセルで無線信号を送信する機能を含む。
【００７０】
また、信号送信部１０１は、第一のセルの所定のリソース単位において、決定部１０３で決定された当該第一のセルで無線信号を無送信にする第一の特定のリソース位置と、当該第一のセルの当該所定のリソース単位において参照信号が設定されるリソース位置とが重複していない場合で、かつ、当該第一のセルの当該所定のリソース単位において複数の参照信号が設定される場合、当該複数の参照信号のうち一部の参照信号に代えてデータチャネルの信号を送信するようにしてもよい。
【００７１】
また、信号送信部１０１は、第一のセルで無線信号を無送信にする第一の特定のリソース位置のうち、一部のリソース位置においてデータチャネルの信号を送信するようにしてもよい。
【００７２】
決定部１０３は、第一のセルに設定される第一の参照信号のリソース位置と、第一のセルの第一のリソース配置（第一のセルのNumerologyに基づくリソース配置）と、第二のセルに設定される第二の参照信号の第二のリソース位置と、第二のセルの第二のリソース配置（第二のセルのNumerologyに基づくリソース配置）とに基づいて、第一のセルで無線信号を無送信にする第一の特定のリソース位置とを決定する機能を有する。
【００７３】
また、決定部１０３は、第一のセルの所定のリソース単位（例えばＲＵペア）に複数の参照信号が設定される場合、当該複数の参照信号のリソース位置のうち、一部の参照信号のリソース位置を、第一のセルで無線信号を無送信にする第一の特定のリソース位置として決定し、複数の参照信号のうち当該一部の参照信号以外の参照信号を送信するリソース位置を、第二のセルで無線信号を無送信にする第二の特定のリソース位置として決定するようにしてもよい。
【００７４】
また、決定部１０３は、第一のセルに設定される第一のリソース配置を示す情報と第二のセルに設定される第二のリソース配置とを比較することで、第一のセルの所定のリソース単位のうち、第二のセルに参照信号が設定されるリソース位置を含むリソースを特定し、特定されたリソースを、第一のセルで無線信号を無送信にする第一の特定のリソース位置として決定し、第一のセルで当該第一のセルの当該所定のリソース単位に複数の参照信号が設定される場合、当該複数の参照信号のうち一部の参照信号を送信するリソース位置を、第二のセルで無線信号を無送信にする第二の特定のリソース位置として決定するようにしてもよい。
【００７５】
通知部１０４は、リソース情報をユーザ装置ＵＥに通知する機能を有する。また、決定部１０３で決定されたリソース位置を、基地局間インターフェースを介して他の基地局１０に通知する機能を有していてもよい。
【００７６】
（ユーザ装置）
図１７は、実施の形態に係るユーザ装置の機能構成の一例を示す図である。図１７に示すように、ユーザ装置ＵＥは、信号送信部２０１と、信号受信部２０２と、取得部２０３と、測定部２０４とを有する。なお、図１７は、ユーザ装置ＵＥにおいて本発明の実施の形態に特に関連する機能部のみを示すものであり、少なくとも５Ｇ（ＬＴＥを含む）に準拠した動作を行うための図示しない機能も有するものである。また、図１７に示す機能構成は一例に過ぎない。本実施の形態に係る動作を実行できるのであれば、機能区分及び機能部の名称はどのようなものでもよい。
【００７７】
信号送信部２０１は、ユーザ装置ＵＥから送信されるべき上位のレイヤの信号から、物理レイヤの各種信号を生成し、無線送信する機能を含む。信号受信部２０２は、基地局１０から各種の信号を無線受信し、受信した物理レイヤの信号からより上位のレイヤの信号を取得する機能を含む。
【００７８】
取得部２０３は、基地局１０からリソース情報を取得する機能を有する。
【００７９】
測定部２０４は、取得部２０３で取得されたリソース情報で指定されるリソース位置で、在圏セルの参照信号の品質測定を行うと共に、無送信のリソースを測定することで、隣接セルからの干渉量を測定する機能を有する。また、測定部２０４は、測定結果を基地局１０に報告する機能を有する。
【００８０】
＜ハードウェア構成＞
上記実施の形態の説明に用いたブロック図（図１６及び図１７）は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【００８１】
例えば、本発明の一実施の形態における基地局１０、ユーザ装置ＵＥは、本発明の信号送信方法の処理を行うコンピュータとして機能してもよい。図１８は、実施の形態に係る基地局１０及びユーザ装置ＵＥのハードウェア構成の一例を示す図である。上述の基地局１０及びユーザ装置ＵＥは、物理的には、プロセッサ１００１、メモリ１００２、ストレージ１００３、通信装置１００４、入力装置１００５、出力装置１００６、バス１００７などを含むコンピュータ装置として構成されてもよい。
【００８２】
なお、以下の説明では、「装置」という文言は、回路、デバイス、ユニットなどに読み替えることができる。基地局１０及びユーザ装置ＵＥのハードウェア構成は、図に示した各装置を１つ又は複数含むように構成されてもよいし、一部の装置を含まずに構成されてもよい。
【００８３】
基地局１０及びユーザ装置ＵＥにおける各機能は、プロセッサ１００１、メモリ１００２などのハードウェア上に所定のソフトウェア（プログラム）を読み込ませることで、プロセッサ１００１が演算を行い、通信装置１００４による通信、メモリ１００２及びストレージ１００３におけるデータの読み出し及び／又は書き込みを制御することで実現される。
【００８４】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、基地局１０の信号送信部１０１と、信号受信部１０２と、決定部１０３と、通知部１０４と、ユーザ装置ＵＥの信号送信部２０１と、信号受信部２０２と、取得部２０３と、測定部２０４とは、プロセッサ１００１で実現されてもよい。
【００８５】
また、プロセッサ１００１は、プログラム（プログラムコード）、ソフトウェアモジュール又はデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、基地局１０の信号送信部１０１と、信号受信部１０２と、決定部１０３と、通知部１０４と、ユーザ装置ＵＥの信号送信部２０１と、信号受信部２０２と、取得部２０３と、測定部２０４とは、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００８６】
メモリ１００２は、コンピュータ読み取り可能な記録媒体であり、例えば、Read  Only  Memory（ＲＯＭ）、Erasable  Programmable  ＲＯＭ（ＥＰＲＯＭ）、Electrically Erasable Programmable ＲＯＭ（ＥＥＰＲＯＭ）、Random  Access  Memory（ＲＡＭ）などの少なくとも１つで構成されてもよい。メモリ１００２は、レジスタ、キャッシュ、メインメモリ（主記憶装置）などと呼ばれてもよい。メモリ１００２は、本発明の一実施の形態に係る信号送信方法を実施するために実行可能なプログラム（プログラムコード）、ソフトウェアモジュールなどを保存することができる。
【００８７】
ストレージ１００３は、コンピュータ読み取り可能な記録媒体であり、例えば、Compact  Disc  ＲＯＭ（ＣＤ−ＲＯＭ）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【００８８】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、基地局１０の信号送信部１０１、及び、信号受信部１０２、ユーザ装置ＵＥの信号送信部２０１、及び、信号受信部２０２は、通信装置１００４で実現されてもよい。
【００８９】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【００９０】
また、プロセッサ１００１及びメモリ１００２などの各装置は、情報を通信するためのバス１００７で接続される。バス１００７は、単一のバスで構成されてもよいし、装置間で異なるバスで構成されてもよい。
【００９１】
また、基地局１０及びユーザ装置ＵＥは、マイクロプロセッサ、デジタル信号プロセッサ（ＤＳＰ：Digital  Signal  Processor）、Application  Specific  Integrated  Circuit（ＡＳＩＣ）、Programmable  Logic  Device（ＰＬＤ）、Field  Programmable  Gate  Array（ＦＰＧＡ）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００９２】
＜まとめ＞
以上、実施の形態によれば、複数のセルを有する無線通信システムにおける基地局であって、第一のセルに設定される第一の参照信号の第一のリソース位置と、前記第一のセルの第一のリソース配置と、第二のセルに設定される第二の参照信号の第二のリソース位置と、前記第二のセルの第二のリソース配置とに基づいて、前記第一のセルで無線信号を無送信にする第一の特定のリソース位置を決定する決定部と、前記第一のセルに設定される前記第一の参照信号の前記第一のリソース位置の第一のリソースに前記第一の参照信号をマッピングすると共に、前記第一のセルで前記無線信号を無送信にする前記第一の特定のリソース位置の特定のリソースを無送信にして、前記第一のセルで前記無線信号を送信する送信部と、を有する基地局が提供される。この基地局１０によれば、各セルに適用されるNumerologyに応じて、ユーザ装置が参照信号および干渉信号を適切に測定することを可能にする技術が提供される。
【００９３】
また、前記決定部は、前記第一のセルの所定のリソース単位に複数の参照信号が設定される場合、該複数の参照信号のリソース位置のうち、一部の参照信号のリソース位置を、前記第一のセルで無線信号を無送信にする前記第一の特定リソース位置として決定し、前記複数の参照信号のうち前記一部の参照信号以外の参照信号を送信するリソース位置を、前記第二のセルで無線信号を無送信にする第二の特定のリソース位置として決定する、ようにしてもよい。これにより、第一のセルの一部のリソース位置では無線信号が無送信になるため、ユーザ装置ＵＥは第二のセルからの干渉量を測定することができる。また、少なくとも第二のセルにおいて、第一のセルで参照信号が送信されるリソース位置では無線信号が無送信になるため、第二のセルに在圏するユーザ装置ＵＥは、第一のセルからの干渉量をより適切に測定することができる。
【００９４】
また、前記決定部は、前記第一のセルに設定される前記第一のリソース配置を示す情報と前記第二のセルに設定される前記第二のリソース配置とを比較することで、前記第一のセルの所定のリソース単位のうち、前記第二のセルに参照信号が設定されるリソース位置を含むリソースを特定し、特定されたリソースを、前記第一のセルで前記無線信号を無送信にする前記第一の特定のリソース位置として決定し、前記第一のセルの前記所定のリソース単位に複数の参照信号が設定される場合、該複数の参照信号のうち一部の参照信号を送信するリソース位置を、前記第二のセルで無線信号を無送信にする第二の特定のリソース位置として決定する、ようにしてもよい。これにより、第一のセルにおいて、第二のセルで参照信号が送信されるリソース位置では無線信号が無送信になるため、ユーザ装置ＵＥは第二のセルからの干渉量をより適切に測定することができる。また、少なくとも第二のセルにおいても、第一のセルで参照信号が送信されるリソース位置では無線信号が無送信になるため、第二のセルに在圏するユーザ装置ＵＥも、第一のセルからの干渉量をより適切に測定することができる。
【００９５】
また、前記送信部は、前記第一のセルの前記所定のリソース単位において、前記決定部で決定された前記第一のセルで無線信号を無送信にする前記第一の特定のリソース位置と、前記第一のセルの前記所定のリソース単位において参照信号が設定されるリソース位置とが重複していない場合で、かつ、前記第一のセルの前記所定のリソース単位に複数の参照信号が設定される場合、該複数の参照信号のうち一部の参照信号に代えてデータチャネルの信号を送信する、ようにしてもよい。これにより、基地局ｅＮＢは、下りリンクで送信可能なデータ量を増加させることができる。
【００９６】
また、前記送信部は、前記第一のセルで無線信号を無送信にする前記第一の特定のリソース位置のうち、一部のリソース位置においてデータチャネルの信号を送信してもよい。これにより、基地局ｅＮＢは、下りリンクで送信可能なデータ量を増加させることができる。
【００９７】
また、実施の形態によれば、複数のセルを有する無線通信システムにおける基地局が実行する信号送信方法であって、第一のセルに設定される第一の参照信号の第一のリソース位置と、前記第一のセルの第一のリソース配置と、第二のセルに設定される第二の参照信号の第二のリソース位置と、前記第二のセルの第二のリソース配置とに基づいて、前記第一のセルで無線信号を無送信にする第一の特定のリソース位置を決定するステップと、前記第一のセルに設定される前記第一の参照信号の前記第一のリソース位置の第一のリソースに前記第一の参照信号をマッピングすると共に、前記第一のセルで前記無線信号を無送信にする前記第一の特定のリソース位置の特定のリソースを無送信にして、前記第一のセルで前記無線信号を送信するステップと、を有する信号送信方法が提供される。この信号送信方法によれば、各セルに適用されるNumerologyに応じて、ユーザ装置が参照信号および干渉信号を適切に測定することを可能にする技術が提供される。
【００９８】
＜実施形態の補足＞
データチャネルは、物理下りリンク共有チャネル、下りリンクデータチャネル、又は、Physical Downlink Shared Channel（ＰＤＳＣＨ）と呼ばれてもよい。ＲＵは、ＲＢ、サブバンド、スケジューリングユニット、又は、周波数ユニットと呼ばれてもよい。
【００９９】
リソース情報の通知は、本明細書で説明した態様／実施形態に限られず、他の方法で行われてもよい。例えば、リソース情報の通知は、物理レイヤシグナリング（例えば、Downlink  Control  Information（ＤＣＩ）、Uplink  Control  Information（ＵＣＩ））、上位レイヤシグナリング（例えば、Radio  Resource  Control（ＲＲＣ）シグナリング、Medium  Access  Control（ＭＡＣ）シグナリング、報知情報（Master  Information  Block（ＭＩＢ）、System  Information  Block（ＳＩＢ）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC Connection Reconfiguration）メッセージなどであってもよい。
【０１００】
本明細書で説明した実施形態は、Long  Term  Evolution（ＬＴＥ）、LTE-Advanced（ＬＴＥ−Ａ）、ＳＵＰＥＲ  ３Ｇ、ＩＭＴ−Ａｄｖａｎｃｅｄ、４Ｇ、５Ｇ、Future  Radio  Access（ＦＲＡ）、Ｗ−ＣＤＭＡ（登録商標）、ＧＳＭ（登録商標）、ＣＤＭＡ２０００、Ultra  Mobile  Broadband（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ultra-WideBand（ＵＷＢ）、Ｂｌｕｅｔｏｏｔｈ（登録商標）、その他の適切なシステムを利用するシステム及び／又はこれらに基づいて拡張された次世代システムに適用されてもよい。
【０１０１】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０１０２】
入出力されたリソース情報等は特定の場所(例えば、メモリ)に保存されてもよいし、管理テーブルで管理してもよい。入出力される情報等は、上書き、更新、または追記され得る。出力された情報等は削除されてもよい。入力された情報等は他の装置へ送信されてもよい。
【０１０３】
基地局は、１つまたは複数（例えば、３つ）の（セクタとも呼ばれる）セルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局ＲＲＨ：Ｒｅｍｏｔｅ  Ｒａｄｉｏ  Ｈｅａｄ）によって通信サービスを提供することもできる。「セル」または「セクタ」という用語は、このカバレッジにおいて通信サービスを行う基地局、および／または基地局サブシステムのカバレッジエリアの一部または全体を指す。さらに、「基地局」「ｅＮＢ」、「セル」、および「セクタ」という用語は、本明細書では互換的に使用され得る。基地局は、固定局（fixed station）、ＮｏｄｅＢ、ｅＮｏｄｅＢ（ｅＮＢ）、アクセスポイント（access point）、フェムトセル、スモールセルなどの用語で呼ばれる場合もある。
【０１０４】
ユーザ装置ＵＥは、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【０１０５】
本明細書で使用する「判断(determining)」、「決定(determining)」という用語は、多種多様な動作を包含する場合がある。「判断」、「決定」は、例えば、判定(judging)、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【０１０６】
参照信号は、ＲＳ（Reference Signal）と略称することもでき、適用される標準によってパイロット（Pilot）と呼ばれてもよい。
【０１０７】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１０８】
本明細書で使用する「第１の」、「第２の」などの呼称を使用した要素へのいかなる参照も、それらの要素の量または順序を全般的に限定するものではない。これらの呼称は、２つ以上の要素間を区別する便利な方法として本明細書で使用され得る。したがって、第１および第２の要素への参照は、２つの要素のみがそこで採用され得ること、または何らかの形で第１の要素が第２の要素に先行しなければならないことを意味しない。
【０１０９】
「含む(ｉｎｃｌｕｄｅ)」、「含んでいる（ｉｎｃｌｕｄｉｎｇ）」、およびそれらの変形が、本明細書あるいは特許請求の範囲で使用されている限り、これら用語は、用語「備える（ｃｏｍｐｒｉｓｉｎｇ）」と同様に、包括的であることが意図される。さらに、本明細書あるいは特許請求の範囲において使用されている用語「または（or）」は、排他的論理和ではないことが意図される。
【０１１０】
判定又は判断は、１ビットで表される値（０か１か）によって行われてもよいし、真偽値（Boolean：trueまたはfalse）によって行われてもよいし、数値の比較（例えば、所定の値との比較）によって行われてもよい。
【０１１１】
なお、本明細書で説明した用語及び／又は本明細書の理解に必要な用語については、同一の又は類似する意味を有する用語と置き換えてもよい。例えば、チャネル及び／又はシンボルは信号（シグナル）であってもよい。また、信号はメッセージであってもよい。
【０１１２】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１１３】
本開示の全体において、例えば、英語でのa, an, 及びtheのように、翻訳により冠詞が追加された場合、これらの冠詞は、文脈から明らかにそうではないことが示されていなければ、複数のものを含むものとする。
【０１１４】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０１１５】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【０１１６】
本国際特許出願は２０１６年８月１０日に出願した日本国特許出願第２０１６−１５８２７０号に基づきその優先権を主張するものであり、日本国特許出願第２０１６−１５８２７０号の全内容を本願に援用する。
【符号の説明】
【０１１７】
１０  基地局
ＵＥ  ユーザ装置
１０１  信号送信部
１０２  信号受信部
１０３  決定部
１０４  通知部
２０１  信号送信部
２０２  信号受信部
２０３  取得部
２０４  測定部
１００１  プロセッサ
１００２  メモリ
１００３  ストレージ
１００４  通信装置
１００５  入力装置
１００６  出力装置
【図１】
2018030098.tif 000003
【図２】
2018030098.tif 000004
【図３】
2018030098.tif 000005
【図４】
2018030098.tif 000006
【図５】
2018030098.tif 000007
【図６】
2018030098.tif 000008
【図７】
2018030098.tif 000009
【図８】
2018030098.tif 000010
【図９】
2018030098.tif 000011
【図１０】
2018030098.tif 000012
【図１１】
2018030098.tif 000013
【図１２】
2018030098.tif 000014
【図１３】
2018030098.tif 000015
【図１４】
2018030098.tif 000016
【図１５】
2018030098.tif 000017
【図１６】
2018030098.tif 000018
【図１７】
2018030098.tif 000019
【図１８】
2018030098.tif 000020
【国際調査報告】
2018030098.tif 000021
2018030098.tif 000022
2018030098.tif 000023
2018030098.tif 000024